(57)【要約】【課題】第一ボタンと第二ボタンの押下によりロータを正逆方向の二方向に回転可能とするプッシュロータリスイッチを提供することを目的とする。【解決手段】ハウジング３の開口部３ａに第一ボタン１と第二ボタン２を配設し、ロータ９と前記ボタン１，２間に凹凸係合する切換子４と回転子５を設け、前記切換子４を前記ハウジング３内に固定するとともに前記回転子５の外側面および内側面に前記第一ボタン１および前記第二ボタン２に対応した第一凹凸カム５ｃおよび第二凹凸カム５ｂを設け、前記第一ボタン１押下時は該第一ボタン１が前記第一凹凸カム５ｃを押し下げるとともに回転させることで前記回転子５が正回転し、前記第二ボタン２押下時は該第二ボタン２が前記第二凹凸カム５ｂを押し下げるとともに回転させることで前記回転子５が逆回転する。【選択図】図２
2012059650.tif 000002
【特許請求の範囲】
【請求項１】
ベースに固定接片と端子を配備し、前記ベース上面に前記固定接片上を摺動する可動接片を配設したロータを配備し、前記ベースと嵌合するハウジングの上方よりボタンを押下することにより前記ロータを回転させて電路の切替を行うプッシュロータリスイッチにおいて、前記ハウジングの開口部に第一ボタンと第二ボタンを配設し、前記ロータと前記ボタン間に凹凸係合する切換子と回転子を設け、前記切換子を前記ハウジング内に固定するとともに前記回転子の外側面および内側面に前記第一ボタンおよび前記第二ボタンに対応した第一凹凸カムおよび第二凹凸カムを設け、前記第一ボタン押下時は該第一ボタンが前記第一凹凸カムを押し下げるとともに回転させることで前記回転子が正回転し、前記第二ボタン押下時は該第二ボタンが前記第二凹凸カムを押し下げるとともに回転させることで前記回転子が逆回転することを特徴とするプッシュロータリスイッチ。
【請求項２】
請求項１記載のプッシュロータリスイッチにおいて、前記第一ボタン内側下面および前記第二ボタン内側下面に舌片部をそれぞれ設け、前記第一ボタンと前記第二ボタンをまたがる下面中央と滑動棒間にコイルバネを配設したことを特徴とするプッシュロータリスイッチ。
【請求項３】
請求項１記載のプッシュロータリスイッチにおいて、前記ロータ上面に複数の凹部を設け、前記回転子下面に設けた複数の凸部が前記凹部に係合し、前記ボタン押下時に前記回転子の回転により前記ロータが正逆方向に回転することを特徴とするプッシュロータリスイッチ。
【発明の詳細な説明】
【技術分野】
【０００１】
本発明は、ボタンの押下によりベース上面に固定接片上を摺動する可動接片を配設したロータを回転させ電路の切替を行うプッシュロータリスイッチに係り、前記ベースと嵌合するハウジングの開口部に第一ボタンと第二ボタンを配設し、前記ロータと前記ボタン間に凹凸係合する切換子と回転子を設け、前記回転子の外側面および内側面に前記第一ボタンおよび前記第二ボタンに対応した凹凸カムを設けることにより前記ロータを正逆方向に回転可能とするプッシュロータリスイッチに関する。
【背景技術】
【０００２】
従来のプッシュロータリスイッチは図７に示すように複数の固定接触片１０７を植設し、接触端子１０９を配設したベースと、該固定接触片１０７と接触するプッシュロータリスイッチ用可動接点回路を形成したプリント基板１０６をベース上に載置し、プリント基板１０６と連結した回転軸１０３をスイッチ本体を形成するハウジング１０１に貫通させて該ハウジング１０１の嵌合孔部１０２に前記ベースの嵌合凸部１０８を嵌合し、前記回転軸１０３を回動させることにより前記プリント基板１０６を連動して回路の切替設定を行うプッシュロータリスイッチの前記回転軸１０３の軸方向に中空部を設けて押下軸１０４を上下動自在に設け、前記プリント基板１０６のプッシュロータリスイッチ用可動接点回路形成面の裏面に押しボタンスイッチ用接点回路を形成して前記プッシュロータリスイッチ用可動接点回路と表裏接続させるとともに、前記押しボタン用接点回路に湾曲上の可動接片１０５を載置して前記押下軸１０４の略中心部を下方に向かって凸部が形成されており、押下軸１０４の押下力は前記凸部により前記可動接片１０５を反転させ押ボタンスイッチ用接点回路を閉成させていた。
【先行技術文献】
【特許文献】
【０００３】
【特許文献１】特開２０００−２７６９８１号
【発明の概要】
【発明が解決しようとする課題】
【０００４】
しかしながら、前記プッシュロータリスイッチは回転軸１０３が一方向にしか回転しない構造であったため、一度該回転軸１０３を回転させてしまうと元のポジションに戻すのに同一方向に一回転させる必要があった。また設定したいポジションに前記回転軸１０３を回転させ、誤って過回転させてしまった場合においても同一方向に前記回転軸１０３をさらにもう一回転させる必要があった。
【０００５】
そこで本発明は、上記状況に鑑みて、接点の切替を正逆方向に回転することができるプッシュロータリスイッチを提供することを目的とする。
【課題を解決するための手段】
【０００６】
本発明は上記目的を達成するために、
〔１〕ベース（１１）に固定接片（１１ａ）と端子（１１ｃ）を配備し、前記ベース（１１）上面に前記固定接片（１１ａ）上を摺動する可動接片（１０）を配設したロータ（９）を配備し、前記ベース（１１）と嵌合するハウジング（３）の上方よりボタンを押下することにより前記ロータ（９）を回転させて電路の切替を行うプッシュロータリスイッチにおいて、前記ハウジング（３）の開口部（３ａ）に第一ボタン（１）と第二ボタン（２）を配設し、前記ロータ（９）と前記ボタン（１，２）間に凹凸係合する切換子（４）と回転子（５）を設け、前記切換子（４）を前記ハウジング（３）内に固定するとともに前記回転子（５）の外側面および内側面に前記第一ボタン（１）および前記第二ボタン（２）に対応した第一凹凸カム（５ｃ）および第二凹凸カム（５ｂ）を設け、前記第一ボタン（１）押下時は該第一ボタン（１）が前記第一凹凸カム（５ｃ）を押し下げるとともに回転させることで前記回転子（５）が正回転し、前記第二ボタン（２）押下時は該第二ボタン（２）が前記第二凹凸カム（５ｂ）を押し下げるとともに回転させることで前記回転子（５）が逆回転することを特徴とする。
〔２〕上記〔１〕記載のプッシュロータリスイッチにおいて、前記第一ボタン（１）内側下面および前記第二ボタン（２）内側下面に舌片部（１ｂ，２ｂ）をそれぞれ設け、前記第一ボタン（１）と前記第二ボタン（２）をまたがる下面中央と滑動棒（７）間にコイルバネ（６）を配設したことを特徴とする。
〔３〕上記〔１〕記載のプッシュロータリスイッチにおいて、前記ロータ（９）上面に複数の凹部（９ａ）を設け、前記回転子（５）下面に設けた複数の凸部（５ｆ）が前記凹部（９ａ）に係合し、前記ボタン（１，２）押下時に前記回転子（５）の回転により前記ロータ（９）が正逆方向に回転することを特徴とする。
【発明の効果】
【０００７】
（１）本発明のプッシュロータリスイッチはハウジングの開口部に第一ボタンと第二ボタンを配設し、回転子の外側面および内側面に前記第一ボタンおよび前記第二ボタンに対応した第一凹凸カムおよび第二凹凸カムを設け、前記第一ボタン押下時は該第一ボタンが前記第一凹凸カムを押し下げるとともに回転させることで前記回転子が正回転し、前記第二ボタン押下時は該第二ボタンが前記第二凹凸カムを押し下げるとともに回転させることで前記回転子が逆回転するため、接点の切替を正逆回転可能とした。よって、従来のプッシュロータリスイッチに比べ、設定したいポジションまで回転軸を回転させ、誤って過回転させてしまった場合でもそのまま一回転させることなく設定したいポジションまで戻すことができる。
（２）第一ボタン内側下面および前記第二ボタン内側下面に舌片部をそれぞれ設け、前記第一ボタンと前記第二ボタンをまたがる下面中央と滑動棒間にコイルバネを配設したため、通常の押ボタンスイッチのようにボタンの復帰に要するコイルバネと電路の切替のために滑動棒に挿入されるコイルバネの２種類を用意する必要がない。よって、コイルバネ１つでボタンの復帰および電路の切替を行うことができるため、部品点数を減らしコストの削減を図ることができる。
（３）ロータ上面に複数の凹部を設け、回転子下面に形成された複数の凸部を凹部にあらかじめ係合させた構造とすることによりローターが不用意に回転することがないため、固定接片と可動接点の接触する位置を決めることができ、外部からの衝撃に強い接触の安定したプッシュロータリスイッチを提供することができる。
（４）ロータ上面の凹部と回転子下面の凸部において上下動する摺動部と可動接片がベース上面を回転する接点部が別々に存在するので、摺動部で発生する成形材料の削り粉が接点部に入り込まず接触不良を起こすことがない。
【図面の簡単な説明】
【０００８】
【図１】本発明の実施例を表すプッシュロータリスイッチの分解斜視図である。
【図２】本発明の実施例を表すプッシュロータリスイッチの第一ボタン押下時の断面図である。
【図３】本発明の実施例を表すプッシュロータリスイッチの回転子の図である。
【図４】本発明の実施例を表すプッシュロータリスイッチの正回転時の動作を示した図である。
【図５】本発明の実施例を表すプッシュロータリスイッチの第二ボタン押下時の断面図である。
【図６】本発明の実施例を表すプッシュロータリスイッチの逆回転時の動作を示した図である。
【図７】従来のプッシュロータリスイッチの断面図である。
【発明を実施するための形態】
【０００９】
本発明のプッシュロータリスイッチは、ボタンの押下によりベース上面に固定接片上を摺動する可動接片を配設したロータを回転させ電路の切替を行うプッシュロータリスイッチに係り、前記ベースと嵌合するハウジングの開口部に第一ボタンと第二ボタンを配設し、前記ロータと前記ボタン間に凹凸係合する切換子と回転子を設け、前記回転子の外側面および内側面に前記第一ボタンおよび前記第二ボタンに対応した第一凹凸カムおよび第二凹凸カムを設け、前記第一ボタン押下時は該第一ボタンが前記第一凹凸カムを押し下げるとともに回転させることで前記回転子が正回転し、前記第二ボタン押下時は該第二ボタンが前記第二凹凸カムを押し下げるとともに回転させることで前記回転子が逆回転することにより前記ロータを正逆方向に回転可能としたため、設定したいポジションよりも前記ロータを過回転させてしまった場合でもそのまま一回転させることなく設定したいポジションまで戻すことができる。また、第一ボタン内側下面および前記第二ボタン内側下面に舌片部をそれぞれ設け、前記第一ボタンと前記第二ボタンをまたがる下面中央と滑動棒間にコイルバネを配設する構造としたため、該コイルバネ１つでボタンの復帰および電路の切替を行うことができ、部品点数を減らした安価で正逆回転可能なプッシュロータリスイッチを提供することができる。
【実施例】
【００１０】
以下、本発明の実施例について、図面を参照しながら詳細に説明する。
【００１１】
図１は本発明の実施例を表すプッシュロータリスイッチの分解斜視図、図２は本発明の実施例を表すプッシュロータリスイッチの第一ボタン押下時の断面図であり、図２（ａ）は第一ボタンを押下する前の断面図、図２（ｂ）は第一ボタンを押下した時の断面図である。図３は本発明の実施例を表すプッシュロータリスイッチの回転子の図であり、図３（ａ）は平面図、図３（ｂ）は図３（ａ）のＣ−Ｃ断面図、図３（ｃ）は図３（ａ）のＤ方向から見た側面図である。図４は本発明の実施例を表すプッシュロータリスイッチの正回転時の動作を示した図であり、図４（ａ）はボタン押下前、図４（ｂ）はボタン押下途中、図４（ｃ）はボタンを最下方まで押下した時、図４（ｄ）はボタンが上方へ復帰した時を示している。図５は本発明の実施例を表すプッシュロータリスイッチの第二ボタン押下時の断面図であり、図５（ａ）は第二ボタンを押下する前の断面図、図５（ｂ）は第二ボタンを押下した時の断面図である。図６は本発明の実施例を表すプッシュロータリスイッチの逆回転時の動作を示した図であり、図６（ａ）はボタン押下前、図６（ｂ）はボタン押下途中、図６（ｃ）はボタンを最下方まで押下した時、図６（ｄ）はボタンが上方へ復帰した時を示している。
【００１２】
これらの図において、１は第一ボタン、２は第二ボタン、３はハウジング、４は切換子、５は回転子、６は第一ボタン１および第二ボタン２の下方に配設されるコイルバネ、７は滑動棒、８は回転子５後述するロータ９の間に配設されるコイルバネ、９はロータ、１０はロータ９に配設される可動接片、１１はベースである。第一ボタン１の下面には、垂下する軸１ａおよび舌片部１ｂが形成され、軸１ａの外側に板バネ１ｃが形成され、軸１ａの先端には傾斜が形成されるとともに側面には凸部１ｄが形成されている。第二ボタン２の下面には、垂下する軸２ａおよび舌片部２ｂが形成され、軸２ａの外側には板バネ２ｃが形成され、軸２ａの先端には傾斜げ形成されるとともに側面には凸部２ｄが形成されている。ハウジング３は、上部に第一ボタン１および第二ボタン２を配設するための開口部３ａが設けられ、下部にベース１１と嵌合するための貫通孔３ｂおよび内側面には段部３ｃが形成されている。切換子４は上面を有する略円筒状で、下方の内側面には角片４ａが形成され、上方の内側面には第一ボタン１の凸部１ｄおよび第二ボタン２の凸部２ｄと係合する溝部４ｂが形成され、上面には貫通孔４ｇが形成されている。回転子５は略円筒状で、上方の周縁部には切換子４の角片４ａと噛み合う角片５ａが形成され、内側面には第二ボタン２に押下される第二凹凸カム５ｂが複数形成され、外側面には第一ボタン１に押下される第一凹凸カム５ｃが複数形成され、下方には鍔部５ｄが形成され、鍔部５ｄの下面には凸部５ｅが形成されている。第一凹凸カム５ｃおよび第二凹凸カム５ｂの上部には傾斜が形成され、第一凹凸カム５ｃの傾斜角は第一ボタン１押下時に回転子５が正回転するように、第二凹凸カム５ｂの傾斜角は第二ボタン２押下時に回転子５が逆回転するように形成されている。ロータ９は、上面の略中央に円状の溝部９ｂが形成され、溝部９ｂ外周に複数の凹部９ａが形成されている。ベース１１には、固定接片１１ａが配設され、側面にはハウジング３の貫通孔３ｂと嵌合する凸片１１ｂが形成され、端子１１ｃが下方に突出するように配設されている。
【００１３】
ハウジング３の開口部３ａに第一ボタン１および第二ボタン２が配設され、ハウジング３の下方から切換子４が配設される。このとき、切換子４の貫通孔４ｇから第一ボタン１および第二ボタン２の軸１ａおよび２ａ、舌片部１ｂおよび舌片部２ｂが突出されるとともに凸部１ｄおよび２ｄが溝部４ｂに係合される。切換子４の下方に回転子５が配設され、角片４ａと角片５ａが係合される。回転子５の中央部を貫通して第一ボタン１および第二ボタン２の下方にコイルバネ６を介して滑動棒７が配設される。このとき、第一ボタン１および第二ボタン２の内側下面にそれぞれ設けた舌片部１ｂおよび舌片部２ｂがコイルバネ６に挿入される。回転子５の下方に溝部９ｂにコイルバネ８が配設されるとともに裏面に可動接片１０が配設されたロータ９が配設され、このとき、凹部９ａには回転子５の凸部５ｅが途中まで挿入されて係合され、ロータ９の上面がハウジング３の段部３ｃに当接される。そして、ベース１１がハウジング３の下方から配設され、貫通孔３ｂと凸片１１ｂが嵌合することで、プッシュロータリスイッチが完成される。
【００１４】
以上のように構成された本発明のプッシュロータリスイッチは、第一ボタン１を押下すると図２（ｂ）に示すように板バネ１ｃおよびコイルバネ６が収縮され、同時に第一ボタン１の軸１ａが回転子５の第一凹凸カム５ｃを押下することにより回転子５を押し下げ、回転子５の凸部５ｅがロータ９の凹部９ａに挿入される。さらに、軸１ａ先端と第一凹凸カム５ｃには両者が噛み合うようにそれぞれ傾斜が施されているため、回転子５が一定方向に回転する。回転子５が回転すると凹部９ａに凸部５ｅが挿入されたロータ９も同時に回転する。これにより、ロータ９下面に配設された可動接片１０も回転し、ベース１１上面に配設された固定接片１１ａ上を摺動することにより電路の切替を行う。このとき、切換子４内側面に第一ボタン１の凸部１ｄと係合する溝部４ｂが設けられているため、第一ボタン１を押下し過ぎることがない。また、第二ボタン２を押下すると先に示した第一ボタン１押下時と同様に板バネ２ｃおよびコイルバネ６が収縮され、同時に第二ボタン２の軸２ａが回転子５の第二凹凸カム５ｂを押下することにより回転子５を押し下げ、回転子５の凸部５ｅがロータ９の凹部９ａに挿入される。さらに、軸２ａ先端と第二凹凸カム５ｂには両者が噛み合うようにそれぞれ傾斜が施されているため、回転子５が先に示した第一ボタン１押下時と逆方向に回転する。回転子５が回転するとロータ９も同時に回転する。これにより、ロータ９下面に配設された可動接片１０も回転し、ベース１１上面に配設された固定接片１１ａ上を摺動することにより電路の切替を行う。このとき、切換子４内側面に第二ボタン２の凸部２ｄと係合する溝部４ｂが設けられているため、第二ボタン２を押下し過ぎることがない。
【００１５】
ここで、第一ボタン１押下時の第一ボタン１、切換子４および回転子５の動作について詳細に説明する。切換子４の角片４ａ、回転子５の角片５ａおよび第一凹凸カム５ｃは円周上に形成されているが、説明の便宜上、図２（ａ）のＡ−Ａ断面部分を平面に展開して説明する。図４（ａ）に示すように、この状態では切換子４の角片４ｃ、４ｄと回転子５の角片５ｇ、５ｈ、５ｉがそれぞれ噛み合っている。そして、第一ボタン１が押下されると図４（ｂ）に示すように、回転子５の第一凹凸カム５ｃが押下され下方に移動すると同時に第一ボタン１と第一凹凸カム５ｃの傾斜により正回転をはじめ、さらに第一ボタン１が完全に下方まで押下されると、図４（ｃ）に示すように、回転子５の角片５ｇ、５ｈ、５ｉが第一凹凸カム５ｃの横幅分正回転する。このとき、角片４ｄの頂点部に対して角片５ｈの頂点部が正回転方向にずれが生じている。そして、図４（ｄ）に示すように、コイルバネ８の弾性力により回転子５が上方に復帰し、切換子４の角片４ｄの右側傾斜面と回転子５の角片５ｈの左側傾斜面が摺動し、傾斜により回転子５が傾斜面の幅分正回転し、次のポジションで切換子４の角片４ｃ、４ｄと回転子５の角片５ｊ、５ｇ、５ｈがそれぞれ噛み合う。
【００１６】
次に、第二ボタン２押下時の第二ボタン２、切換子４および回転子５の動作について詳細に説明する。切換子４の角片４ａ、回転子５の角片５ａおよび第二凹凸カム５ｂは円周上に形成されているが、説明の便宜上、図５（ａ）のＢ−Ｂ断面部分を平面に展開して説明する。図６（ａ）に示すように、この状態では切換子４の角片４ｆ、４ｅと回転子５の角片５ｇ、５ｊ、５ｉがそれぞれ噛み合っている。そして、第二ボタン２が押下されると図６（ｂ）に示すように、回転子５の第二凹凸カム５ｂが押下され下方に移動すると同時に第二ボタン２と第二凹凸カム５ｂの傾斜により逆回転をはじめ、さらに第二ボタン２が完全に下方まで押下されると、図６（ｃ）に示すように、回転子５の角片５ｇ、５ｊ、５ｉが第二凹凸カム５ｂの横幅分逆回転する。このとき、角片４ｅの頂点部に対して角片５ｊの頂点部が逆回転方向にずれが生じている。そして、図６（ｄ）に示すように、コイルバネ８の弾性力により回転子５が上方に復帰し、切換子４の角片４ｅの右側傾斜面と回転子５の角片５ｊの左側傾斜面が摺動し、傾斜により回転子５が傾斜面の幅分逆回転し、次のポジションで切換子４の角片４ｆ、４ｅと回転子５の角片５ｈ、５ｇ、５ｊがそれぞれ噛み合う。
【００１７】
本実施例では、第一ボタンおよび第二ボタンに板バネを一体に成形しているが、コイルバネを配設してもよい。また、回転方向について、第一ボタン押下時に正回転、第二ボタン押下時に逆回転としているが、軸先端の傾斜角および凹凸カムの傾斜角を変えることにより第一ボタン押下時に逆回転、第二ボタン押下時に正回転としてもよく、種々の方法が考えられる。
【００１８】
なお、本発明は上記の実施例に限定されるものではなく、本発明の趣旨に基づき種々の変形が可能であり、これらを本発明の範囲から排除するものではない。
【産業上の利用可能性】
【００１９】
本発明のプッシュロータリスイッチは、接点の切替を正逆方向に回転することができるプッシュロータリスイッチとして利用可能である。
【符号の説明】
【００２０】
１                第一ボタン
１ａ、２ａ        軸
１ｂ、２ｂ        舌片部
１ｃ、２ｃ        板バネ
１ｄ、２ｄ、５ｅ  凸部
２                第二ボタン
３、１０１        ハウジング
３ａ              開口部
３ｂ、４ｇ        貫通孔
３ｃ              段部
４                切換子
４ａ、４ｃ、４ｄ、４ｅ、４ｆ、５ａ、５ｇ、５ｈ、５ｉ、５ｊ  角片
４ｂ、９ｂ        溝部
５                回転子
５ｂ              第二凹凸カム
５ｃ              第一凹凸カム
５ｄ              鍔部
６、８            コイルバネ
７                滑動棒
９                ロータ
９ａ              凹部
１０、１０５      可動接片
１１              ベース
１１ａ            固定接片
１１ｂ            凸片
１１ｃ            端子
１０２            嵌合孔部
１０３            回転軸
１０４            押下軸
１０６            プリント基板
１０７            固定接触片
１０８            嵌合凸部
１０９            接触端子
【図１】
2012059650.tif 000003
【図２】
2012059650.tif 000004
【図３】
2012059650.tif 000005
【図４】
2012059650.tif 000006
【図５】
2012059650.tif 000007
【図６】
2012059650.tif 000008
【図７】
2012059650.tif 000009